(57)【要約】【課題】従来技術のカムシャフトの回転に応動するリンク構造及び傘形の弁体では、低水圧時においては、各々の弁体と吐水モード用専用流通口（弁座）との隙間から水道水（原水）が浸入し、ストレート原水吐水口・シャワー原水吐水口・浄水吐水口の各々から水漏れがする、という課題を解決する。【解決手段】リンク４０においては、回転するカムシャフト３０のカム３３、３４、３５の凸部と、リンク４０の突起部４２と、が摺動していない場合のリンク４０の外周部一端部の弁体４５が、切替弁本体１０の弁座１３、１４、１５の各々を低水圧時において、確実に閉動作できるように、リンク４０にはリンク４０の外周部他端部に軸状のガイド４６を設け、ガイド４６の上部にはガイド４６を滑動できるように支持するガイド受け６０を設け、ガイド４６の外周部にはリンク４０とガイド受け６０とを常時弾発するコイルスプリング４７を設けた。【選択図】図４
2008173597.tif 000002
【特許請求の範囲】
【請求項１】
切替弁本体外部に結合されケーシングとろ過材とからなり浄水吐水口と原水供給入口とを有する浄水槽カートリッジと、切替弁本体上カバーと、水道蛇口から原水が流入する流入口とカムシャフト軸承孔と一端部が弁座Ｔで他端部がストレート原水吐水口に通じる開口部である流通管路Ｔと一端部が弁座Ｓで他端部がシャワー原水吐水口に通じる開口部である流通管路Ｓと一端部が弁座Ｊで他端部が該浄水槽カートリッジの原水供給入口に結合する原水供給出口である流通管路Ｊと外周部に駆動ギア軸とを有する切替弁本体と、該切替弁本体外部に設けられ上下の一方向に動作し作動後原位置に復元するように往復動してストレート原水吐水／シャワー原水吐水／浄水吐水の３つの吐水モードを切替える切替レバーと、該切替レバーに間接接続され該駆動ギア軸に軸着されラチェット機構及び切替レバー復元機構を有し一方向に回転する駆動ギヤと、一端部に該駆動ギヤと噛合い他方向に回転する従動ギヤを有し略中央部の軸円周方向に略楕円形で２つの凸部を有するカムＴ、カムＳ、カムＪをそれぞれ位相をずらして形成したカムシャフトと、該カムＴ、該カムＳ、該カムＪの各々に設けられカムの外周部を囲繞するように形成された中空部を有し中空部側に形成された１つの突起部を有する略ロ形体であって回転する該カムの凸部と略ロ形体内の突起部との摺動により上下方向に直線往復運動するリンクＴ、リンクＳ、リンクＪと、該リンクＴ、該リンクＳ、該リンクＪの各々に設けられリンク外周部一端部に設けられ整流羽根とＯリングとを有する弁体Ｔ、弁体Ｓ、弁体Ｊと、該流通管路Ｔに結合されるストレート原水吐水口と該流通管路Ｓに結合されるシャワー原水吐水口とを有する切替弁本体下カバーと、からなり、該弁体Ｔの整流羽根は該弁座Ｔの、該弁体Ｓの整流羽根は該弁座Ｓの、該弁体Ｊの整流羽根は該弁座Ｊの中に挿入され、また該弁体ＴのＯリングは該弁座Ｔを、該弁体ＳのＯリングは該弁座Ｓを、該弁体ＪのＯリングは該弁座Ｊを押圧閉塞するように配設され、該切替レバーの上下の一往復動により該駆動ギヤが一定角度の一方向へ回転運動をし、該駆動ギヤに連動する該従動ギヤが一定角度の他方向へ回転運動をすることにより該カムシャフトが一定角度の回転運動をし、該カムＴ、該カムＳ、該カムＪの何れかの凸部が、対応する該リンクＴ、該リンクＳ、該リンクＪの突起部との摺動により該リンクＴ、該リンクＳ、該リンクＪの何れかが上下方向に往復動変換され、それによって対応する該弁体Ｔは該弁座Ｔを、該弁体Ｓは該弁座Ｓを、該弁体Ｊは該弁座Ｊを開又は閉動作して、該切替弁本体内の原水が該流通管路Ｔ又は該流通管路Ｓ又は該流通管路Ｊを通り、ストレート原水吐水口又はシャワー原水吐水口又は浄水吐水口の何れかに通水されることになり、該切替レバーの上下の一往復動を繰り返すことによりストレート原水吐水／シャワー原水吐水／浄水吐水の３つの吐水モードが切替わって吐水される水道蛇口直結型浄水器において、該リンクＴ、該リンクＳ、該リンクＪの各々においては、回転するカムの凸部とリンクの突起部とが摺動していない場合の弁体Ｔ、弁体Ｓ、弁体Ｊが各々に対応する弁座Ｔ、弁座Ｓ、弁座Ｊを低水圧時において確実に閉動作できるように、該リンクＴ、該リンクＳ、該リンクＪの各々にはリンク外周部他端部に軸状のガイドＴ、ガイドＳ、ガイドＪを設け、該ガイドＴ、該ガイドＳ、該ガイドＪの各々の上部には各々のガイドを同時に滑動できるように支持するガイド受けを設け、該ガイドＴ、該ガイドＳ、該ガイドＪの各々の外周部にはリンクと該ガイド受けとを常時弾発するコイルスプリングを設けたことを特徴とする水道蛇口直結型浄水器。
【請求項２】
浄水器内に内蔵されケーシングとろ過材とからなり原水供給入口と浄水出口とを有する浄水槽カートリッジと、浄水槽カートリッジ蓋体と、切替弁本体上カバーと、水道蛇口から原水が流入する流入口とカムシャフト軸承孔と一端部が弁座Ｔで他端部がストレート原水吐水口に通じる開口部である流通管路Ｔと一端部が弁座Ｓで他端部がシャワー原水吐水口に通じる開口部である流通管路Ｓと一端部が弁座Ｊで他端部が原水供給出口である流通管路Ｊと外周部に駆動ギア軸とを有する切替弁本体と、一端部が該流通管路Ｊの原水供給出口に結合する原水供給連結入口で他端部が該浄水槽カートリッジの原水供給入口に結合する原水供給連結出口である流通管路Ｙと一端部が該浄水槽カートリッジの浄水出口に結合する浄水入口で他端部が浄水吐水口に通じる開口部である流通管路Ｚとを有する結合流通管路ユニットと、該切替弁本体外部に設けられ上下の一方向に動作し作動後原位置に復元するように往復動してストレート原水吐水／シャワー原水吐水／浄水吐水の３つの吐水モードを切替える切替レバーと、該切替レバーに間接接続され該駆動ギア軸に軸着されラチェット機構及び切替レバー復元機構を有し一方向に回転する駆動ギヤと、一端部に該駆動ギヤと噛合い他方向に回転する従動ギヤを有し略中央部の軸円周方向に略楕円形で２つの凸部を有するカムＴ、カムＳ、カムＪをそれぞれ位相をずらして形成したカムシャフトと、該カムＴ、該カムＳ、該カムＪの各々に設けられカムの外周部を囲繞するように形成された中空部を有し中空部側に形成された１つの突起部を有する略ロ形体であって回転する該カムの凸部と略ロ形体内の突起部との摺動により上下方向に直線往復運動するリンクＴ、リンクＳ、リンクＪと、該リンクＴ、該リンクＳ、該リンクＪの各々に設けられリンク外周部一端部に設けられ整流羽根とＯリングとを有する弁体Ｔ、弁体Ｓ、弁体Ｊと、該流通管路Ｔに結合されるストレート原水吐水口と該流通管路Ｓに結合されるシャワー原水吐水口と該流通管路Ｚに結合される浄水吐水口とを有する切替弁本体下カバーと、からなり、該弁体Ｔの整流羽根は該弁座Ｔの、該弁体Ｓの整流羽根は該弁座Ｓの、該弁体Ｊの整流羽根は該弁座Ｊの中に挿入され、また該弁体ＴのＯリングは該弁座Ｔを、該弁体ＳのＯリングは該弁座Ｓを、該弁体ＪのＯリングは該弁座を押圧閉塞するように配設され、該切替レバーの上下の一往復動により該駆動ギヤが一定角度の一方向へ回転運動をし該駆動ギヤに連動する該従動ギヤが一定角度の他方向へ回転運動をすることにより該カムシャフトが一定角度の回転運動をし、該カムＴ、該カムＳ、該カムＪの何れかの凸部が、対応する該リンクＴ、該リンクＳ、該リンクＪの突起部との摺動により該リンクＴ、該リンクＳ、該リンクＪの何れかが上下方向に往復動変換され、それによって対応する該弁体Ｔは該弁座Ｔを、該弁体Ｓは該弁座Ｓを、該弁体Ｊは該弁座Ｊを開又は閉動作して、該切替弁本体内の原水が該流通管路Ｔ、又は該流通管路Ｓ、又は該流通管路Ｊ・流通管路Ｙ・浄水槽カートリッジ・流通管路Ｚのルート、を通り、ストレート原水吐水口又はシャワー原水吐水口又は浄水吐水口の何れかに通水されることになり、該切替レバーの上下の一往復動を繰り返すことによりストレート原水吐水／シャワー原水吐水／浄水吐水の３つの吐水モードが切替わって吐水される水道蛇口直結型浄水器において、該リンクＴ、該リンクＳ、該リンクＪの各々においては、回転するカムの凸部とリンクの突起部とが摺動していない場合の弁体Ｔ、弁体Ｓ、弁体Ｊが各々に対応する弁座Ｔ、弁座Ｓ、弁座Ｊを低水圧時において確実に閉動作できるように、該リンクＴ、該リンクＳ、該リンクＪの各々にはリンク外周部他端部に軸状のガイドＴ、ガイドＳ、ガイドＪを設け、該ガイドＴ、該ガイドＳ、該ガイドＪの各々の上部には各々のガイドを同時に滑動できるように支持するガイド受けを設け、該ガイドＴ、該ガイドＳ、該ガイドＪの各々の外周部にはリンクと該ガイド受けとを常時弾発するコイルスプリングを設けたことを特徴とする水道蛇口直結型浄水器。
【発明の詳細な説明】
【技術分野】
【０００１】
本発明は、水道水（原水）を活性炭（吸着材）や中空糸膜フィルタ等のろ過材からなる浄水槽カートリッジで貫流浄化する水道蛇口直結型の浄水器Ｉ型（切替切替レバー式切替弁一体型浄水器で、通常、切替レバーの切替えでストレート原水吐水／シャワー原水吐水／浄水吐水の３つの吐水モードが切替可能である。）に係るものであり、詳しくは切替レバーのワンタッチ動作でしかも小さな操作力をもってきわめて容易にかつ確実に切替えられ、さらに低水圧時における各々の弁体と弁座との隙間からの水漏れを低減させた水道蛇口直結型浄水器の改善に関する。
【背景技術】
【０００２】
従来から、ストレート原水吐水口・シャワー原水吐水口・浄水吐水口を有し、一方向に動作し作動後原位置に復帰するように往復動してストレート原水吐水・シャワー原水吐水・浄水吐水のように複数の吐水モードを切替える切替レバーと、ラチェット機構またはワンウェイクラッチ機構を介して該切替レバーに接続され、それぞれ位相のずれた複数のカムを有するカムシャフトと、該複数のカムの軸方向位置のそれぞれに対応して形成された各モード用専用流通口（弁座）と、該複数のカムにより上下方向に動作し、該各モード用専用流通口を開閉する複数の傘形の弁体と、該複数の弁体のそれぞれに連結されると共に該複数のカムと係合して該複数の弁体のそれぞれを開閉方向に駆動する複数のリンクとを有し、該複数のカムのそれぞれには、該リンクを押し上げる突起と該リンクを押し下げる突起とが該カムシャフトの軸方向において並列に設けられ、該複数のリンクには該押し上げる突起と該押し下げる突起のそれぞれに当接する押し上げ面と押し下げ面とが設けられていることを特徴とする水道蛇口直結型浄水器（例えば、特許文献１参照。）が知られている。
【０００３】
【特許文献１】特許第３７２４９４１号公報
【発明の開示】
【発明が解決しようとする課題】
【０００４】
しかしながら、従来技術のリンク構造及び傘形の弁体では、低水圧時（例えば、０．０５ＭＰａ）においては、各々の弁体と吐水モード用専用流通口（弁座）との隙間から原水が浸入し、ストレート原水吐水口・シャワー原水吐水口・浄水吐水口の各々から水漏れがするという課題が残されていた。
【課題を解決するための手段】
【０００５】
本発明は、従来の技術の有するこのような問題点を鑑みてなされたものであり、その目的とするところは、ストレート原水吐水／シャワー原水吐水／浄水吐水のように３つの吐水モードを切替える切替レバーのワンタッチ動作でしかも小さな操作力をもってきわめて容易にかつ確実に切替えられることを保持しながら、さらに低水圧時における各々の弁体と吐水モード用専用流通口（弁座）との隙間から流通管路への原水浸入を防止し、ストレート原水吐水口・シャワー原水吐水口・浄水吐水口の各々から水漏れを低減させた水道蛇口直結型浄水器を提供しようとするものである。
【０００６】
上記目的を達成するために、本発明の水道蛇口直結型浄水器は、切替弁本体外部に結合されケーシング（例えば、ＡＢＳ樹脂等の合成樹脂）とろ過材（例えば、活性炭、中空糸膜フィルタ、イオン交換樹脂、ミネラル、亜硫酸カルシウム）とからなり浄水吐水口と原水供給入口とを有する浄水槽カートリッジと、切替弁本体上カバー（例えば、ＡＢＳ樹脂等の合成樹脂）と、水道蛇口から原水が流入する流入口とカムシャフト軸承孔と一端部が弁座Ｔで他端部がストレート原水吐水口に通じる開口部である流通管路Ｔと一端部が弁座Ｓで他端部がシャワー原水吐水口に通じる開口部である流通管路Ｓと一端部が弁座Ｊで他端部が該浄水槽カートリッジの原水供給入口に結合する原水供給出口である流通管路Ｊと外周部に駆動ギア軸とを有する切替弁本体（例えば、ＰＯＭ樹脂等の合成樹脂）と、該切替弁本体外部に設けられ上下の一方向に動作し作動後原位置に復元するように往復動してストレート原水吐水／シャワー原水吐水／浄水吐水の３つの吐水モードを切替える切替レバー（例えば、ＡＢＳ樹脂等の合成樹脂）と、該切替レバーに間接接続され該駆動ギア軸に軸着されラチェット機構及び切替レバー復元機構（該切替レバーに直接接続される。）を有し一方向に回転する駆動ギヤ（例えば、ＡＢＳ樹脂等の合成樹脂、切替レバーの一往復動において４０度回転動する。）と、一端部に該駆動ギヤと噛合い他方向に回転する従動ギヤ（例えば、駆動ギヤの４０度回転動に対し６０度回転動する。）を有し略中央部（一端部と他端部の間）の軸円周方向に略楕円形で２つの凸部を有するカムＴ、カムＳ、カムＪをそれぞれ位相をずらして（例えば、６０度、１２０度）形成したカムシャフト（例えば、ＰＯＭ樹脂等の合成樹脂）と、該カムＴ、該カムＳ、該カムＪの各々に設けられカムの外周部を囲繞するように形成された中空部を有し中空部側に形成された１つの突起部を有する略ロ形（四辺形）体であって回転する該カムの凸部と略ロ形体内の突起部との摺動により上下方向に直線往復運動するリンク（開閉弁本体とも言う。例えば、ＰＯＭ樹脂等の合成樹脂）Ｔ、リンクＳ、リンクＪと、該リンクＴ、該リンクＳ、該リンクＪの各々に設けられリンク外周部一端部に設けられ整流羽根とＯリング（例えば、ニトリルゴム、シリコンゴム、フッ素ゴム等の軟質弾性部材）とを有する弁体（プラグ）Ｔ、弁体Ｓ、弁体Ｊと、該流通管路Ｔに結合されるストレート原水吐水口と該流通管路Ｓに結合されるシャワー原水吐水口とを有する切替弁本体下カバー（例えば、ＡＢＳ樹脂等の合成樹脂）と、からなり、該弁体Ｔの整流羽根は該弁座Ｔの、該弁体Ｓの整流羽根は該弁座Ｓの、該弁体Ｊの整流羽根は該弁座Ｊの中に挿入され、また該弁体ＴのＯリングは該弁座Ｔを、該弁体ＳのＯリングは該弁座Ｓを、該弁体ＪのＯリングは該弁座Ｊを押圧閉塞するように配設され、該切替レバーの上下の一往復動により該駆動ギヤが一定角度の一方向へ回転運動をし該駆動ギヤに連動する該従動ギヤが一定角度の他方向へ回転運動をすることにより該カムシャフトが一定角度の回転運動をし、該カムＴ、該カムＳ、該カムＪの何れかの凸部が、対応する該リンクＴ、該リンクＳ、該リンクＪの突起部との摺動により該リンクＴ、該リンクＳ、該リンクＪの何れかが上下方向に往復動変換され、それによって対応する該弁体Ｔは該弁座Ｔを、該弁体Ｓは該弁座Ｓを、該弁体Ｊは該弁座Ｊを開又は閉動作して、該切替弁本体内の原水が該流通管路Ｔ又は該流通管路Ｓ又は該流通管路Ｊを通り、ストレート原水吐水口又はシャワー原水吐水口又は浄水吐水口の何れかに通水されることになり、該切替レバーの上下の一往復動を繰り返すことによりストレート原水吐水／シャワー原水吐水／浄水吐水の３つの吐水モードが切替わって吐水される水道蛇口直結型浄水器において、該リンクＴ、該リンクＳ、該リンクＪの各々においては、回転するカム（カムＴ、カムＳ、カムＪ）の凸部とリンク（カムＴに対応するリンクＴ、カムＳに対応するリンクＳ、カムＪに対応するリンクＪ）の突起部とが摺動していない場合の弁体Ｔ、弁体Ｓ、弁体Ｊが、弁体Ｔに正対する弁座Ｔ、弁体Ｓに正対する弁座Ｓ、弁体Ｊに正対する弁座Ｊを低水圧時において確実に閉動作（弁体と弁座との隙間から流通管路への原水浸入防止）できるように、該リンクＴ、該リンクＳ、該リンクＪの各々にはリンク外周部他端部に軸状のガイドＴ、ガイドＳ、ガイドＪを設け、該ガイドＴ、該ガイドＳ、該ガイドＪの各々の上部には各々のガイドを同時に滑動できるように支持するガイド受け（例えば、ＰＯＭ樹脂等の合成樹脂）を設け、該ガイドＴ、該ガイドＳ、該ガイドＪの各々の外周部にはリンクと該ガイド受けとを常時弾発するコイルスプリング（例えば、ステンレス鋼線）を設けたことを特徴とする。
【０００７】
或いは、浄水器内に内蔵されケーシング（例えば、ＡＢＳ樹脂等の合成樹脂）とろ過材（例えば、活性炭、中空糸膜フィルタ、イオン交換樹脂、ミネラル、亜硫酸カルシウム）とからなり原水供給入口と浄水出口とを有する浄水槽カートリッジと、浄水槽カートリッジ蓋体（例えば、ＡＢＳ樹脂等の合成樹脂）と、切替弁本体上カバー（例えば、ＡＢＳ樹脂等の合成樹脂）と、水道蛇口から原水が流入する流入口とカムシャフト軸承孔と一端部が弁座Ｔで他端部がストレート原水吐水口に通じる開口部である流通管路Ｔと一端部が弁座Ｓで他端部がシャワー原水吐水口に通じる開口部である流通管路Ｓと一端部が弁座Ｊで他端部が原水供給出口である流通管路Ｊと外周部に駆動ギア軸とを有する切替弁本体（例えば、ＰＯＭ樹脂等の合成樹脂）と、一端部が該流通管路Ｊの原水供給出口に結合する原水供給連結入口で他端部が該浄水槽カートリッジの原水供給入口に結合する原水供給連結出口である流通管路Ｙと一端部が該浄水槽カートリッジの浄水出口に結合する浄水入口で他端部が浄水吐水口に通じる開口部である流通管路Ｚとを有する結合流通管路ユニット（例えば、ＰＯＭ樹脂等の合成樹脂）と、該切替弁本体外部に設けられ上下の一方向に動作し作動後原位置に復元するように往復動してストレート原水吐水／シャワー原水吐水／浄水吐水の３つの吐水モードを切替える切替レバー（例えば、ＡＢＳ樹脂等の合成樹脂）と、該切替レバーに間接接続され該駆動ギア軸に軸着されラチェット機構及び切替レバー復元機構（該切替レバーに直接接続される。）を有し一方向に回転する駆動ギヤ（例えば、ＡＢＳ樹脂等の合成樹脂、切替レバーの一往復動において４０度回転動する。）と、一端部に該駆動ギヤと噛合い他方向に回転する従動ギヤ（例えば、駆動ギヤの４０度回転動に対し６０度回転動する。）を有し略中央部（一端部と他端部の間）の軸円周方向に略楕円形で２つの凸部を有するカムＴ、カムＳ、カムＪをそれぞれ位相をずらして（例えば、６０度、１２０度）形成したカムシャフト（例えば、ＰＯＭ樹脂等の合成樹脂）と、該カムＴ、該カムＳ、該カムＪの各々に設けられカムの外周部を囲繞するように形成された中空部を有し中空部側に形成された１つの突起部を有する略ロ形（四辺形）体であって回転する該カムの凸部と略ロ形体内の突起部との摺動により上下方向に直線往復運動するリンク（開閉弁本体とも言う。例えば、ＰＯＭ樹脂等の合成樹脂）Ｔ、リンクＳ、リンクＪと、該リンクＴ、該リンクＳ、該リンクＪの各々に設けられリンク外周部一端部に設けられ整流羽根とＯリング（例えば、ニトリルゴム、シリコンゴム、フッ素ゴム等の軟質弾性部材）とを有する弁体（プラグ）Ｔ、弁体Ｓ、弁体Ｊと、該流通管路Ｔに結合されるストレート原水吐水口と該流通管路Ｓに結合されるシャワー原水吐水口と該流通管路Ｚに結合される浄水吐水口とを有する切替弁本体下カバー（例えば、ＡＢＳ樹脂等の合成樹脂）と、からなり、該弁体Ｔの整流羽根は該弁座Ｔの、該弁体Ｓの整流羽根は該弁座Ｓの、該弁体Ｊの整流羽根は該弁座Ｊの中に挿入され、また該弁体ＴのＯリングは該弁座Ｔを、該弁体ＳのＯリングは該弁座Ｓを、該弁体ＪのＯリングは該弁座Ｊを押圧閉塞するように配設され、該切替レバーの上下の一往復動により該駆動ギヤが一定角度の一方向へ回転運動をし該駆動ギヤに連動する該従動ギヤが一定角度の他方向へ回転運動をすることにより該カムシャフトが一定角度の回転運動をし、該カムＴ、該カムＳ、該カムＪの何れかの凸部が、対応する該リンクＴ、該リンクＳ、該リンクＪの突起部との摺動により該リンクＴ、該リンクＳ、該リンクＪの何れかが上下方向に往復動変換され、それによって対応する該弁体Ｔは該弁座Ｔを、該弁体Ｓは該弁座Ｓを、該弁体Ｊは該弁座Ｊを開又は閉動作して、該切替弁本体内の原水が該流通管路Ｔ、又は該流通管路Ｓ、又は該流通管路Ｊ・流通管路Ｙ・浄水槽カートリッジ・流通管路Ｚのルート、を通り、ストレート原水吐水口又はシャワー原水吐水口又は浄水吐水口の何れかに通水されることになり、該切替レバーの上下の一往復動を繰り返すことによりストレート原水吐水／シャワー原水吐水／浄水吐水の３つの吐水モードが切替わって吐水される水道蛇口直結型浄水器において、該リンクＴ、該リンクＳ、該リンクＪの各々においては、回転するカム（カムＴ、カムＳ、カムＪ）の凸部とリンク（カムＴに対応するリンクＴ、カムＳに対応するリンクＳ、カムＪに対応するリンクＪ）の突起部とが摺動していない場合の弁体Ｔ、弁体Ｓ、弁体Ｊが、弁体Ｔに正対する弁座Ｔ、弁体Ｓに正対する弁座Ｓ、弁体Ｊに正対する弁座Ｊを低水圧時において確実に閉動作（弁体と弁座との隙間から流通管路への原水浸入防止）できるように、該リンクＴ、該リンクＳ、該リンクＪの各々にはリンク外周部他端部に軸状のガイドＴ、ガイドＳ、ガイドＪを設け、該ガイドＴ、該ガイドＳ、該ガイドＪの各々の上部には各々のガイドを同時に滑動できるように支持するガイド受け（例えば、ＰＯＭ樹脂等の合成樹脂）を設け、該ガイドＴ、該ガイドＳ、該ガイドＪの各々の外周部にはリンクと該ガイド受けとを常時弾発するコイルスプリング（例えば、ステンレス鋼線）を設けたことを特徴とする。
【発明の効果】
【０００８】
複数のリンクＴ、リンクＳ、リンクＪの各々をコイルスプリングで常時弾発することにより、低水圧時における各々の弁体と弁座との隙間から流通管路への原水浸入を防止し、ストレート原水吐水口・シャワー原水吐水口・浄水吐水口の各々から水漏れを低減させるという効果を奏する。
【発明を実施するための最良の形態】
【０００９】
従来と同様に、ストレート原水吐水／シャワー原水吐水／浄水吐水のように３つの吐水モードを切替える切替レバーのワンタッチ動作でしかも小さな操作力をもってきわめて容易にかつ確実に切替えるができることという目的を、複数のリンクに常時弾発するコイルスプリングを追加したにもかかわらず、切替レバーの小さな操作力を損なわずに実現した。
【実施例１】
【００１０】
図１は、本発明の一実施例の水道蛇口直結型浄水器９０の斜視図である。図２（ａ）は、カムシャフト３０の斜視図であり、図２（ｂ）は、カムシャフト３０の正面図である。図３は、リンク４０の右側面図（左側面図も同一）である。図４は、カムシャフト３０にリンク４０を配置させた斜視図である。図５は、カムシャフト３０を中心に切断した時の本発明の一実施例の水道蛇口直結型浄水器９０の要部正面断面図である。図６は、本発明の一実施例の水道蛇口直結型浄水器９０の主となる構成部品を表したアイソメ図である。図７（ａ）は、本発明の一実施例の水道蛇口直結型浄水器９０に結合される浄水槽カートリッジ８０の斜視図である。
また、本明細書を含む各書類においては、１つの部品（或いは名称）を複数個同時使用している関係上、識別しやすいように、ストレート原水吐水に係わる部品に関してはＴの記号を、シャワー原水吐水に係わる部品に関してはＳの記号を、浄水吐水に係わる部品に関してはＪの記号を、付加している。
【００１１】
図１ないし図６と、図７（ａ）を参照して、本発明の一実施例の水道蛇口直結型浄水器９０の構成（ハード）を説明する。
図１に示す本発明の一実施例の水道蛇口直結型浄水器９０に結合される浄水槽カートリッジ８０は、一例として、図７（ａ）のような外観形状とした。
浄水槽カートリッジ８０は、切替弁本体１０外部に着脱可能に結合される外付け部品で、ケーシング（例えば、ＡＢＳ樹脂等の合成樹脂）８１と、該ケーシング８１に内蔵されるろ過材（不図示。例えば、活性炭、中空糸膜フィルタ）と、からなり、該ケーシング８１の外部には浄水吐水口８２（下流側）と原水供給入口８３（上流側）とを有する。
通常、浄水槽カートリッジ８０は、水道水（原水）を貫流浄化するのが目的であるが、浄化された水（浄水）にミネラル等を添加するためにミネラル添加材等もろ過材に付加される場合もある。
そして、ろ過材には浄化する能力に限界（寿命）があり、定期的に浄水槽カートリッジ８０を交換使用する必要がある。
また、浄水槽カートリッジ８０は、貫流浄化する水道水（原水）の処理流量に応じて、ろ過材の容量や構成比率等を変えたり、該ケーシング８１の形状（大小）を変更すると良い。
【００１２】
図１又は図６に示すように、切替弁本体上カバー（例えば、ＡＢＳ樹脂等の合成樹脂）７０は、切替弁本体１０の流入口１１を貫装して、切替弁本体１０の上部を覆うものである。
切替弁本体上カバー７０には、現在、ストレート原水吐水／シャワー原水吐水／浄水吐水３つの吐水モードのうち、どの吐水モードになっているか判るように、吐水モード表示窓７１が設けられている。
【００１３】
図５又は図６に示すように、切替弁本体（例えば、ＰＯＭ樹脂等の合成樹脂）１０は、水道蛇口から原水（水道水）が流入する流入口１１と、カムシャフト３０が挿入されカムシャフト３０の一端部３１を軸承するカムシャフト軸承孔１２と、一端部（上流側）が弁座Ｔ１３ａ（端面は当接するＯリングＴ４４ａが傷付かないように若干テーパーになっている）で他端部（下流側）が切替弁本体下カバー７５のストレート吐水口７６に通じる開口部１３ｂである流通管路Ｔ１３と、一端部（上流側）が弁座Ｓ１４ａ（端面は当接するＯリングＳ４４ｂが傷付かないように若干テーパーになっている）で他端部（下流側）が切替弁本体下カバー７５のシャワー原水吐水口７７に通じる開口部１４ｂである流通管路Ｓ１４と、一端部（上流側）が弁座Ｊ１５ａ（端面は当接するＯリングＪ４４ｃが傷付かないように若干テーパーになっている）で他端部（下流側）が該浄水槽カートリッジ８０の原水供給入口８４に結合する原水供給出口１５ｂである流通管路Ｊ１５と、外周部に駆動ギア軸１９と、該駆動ギア軸１９の軸線上の反対側には切替レバー５０の一端（小凹部）５１が回動自在に係合される支持軸（凸部）５９と、を有する。
【００１４】
流入口１１の上流側には、通常、水道蛇口固定部品類が配設されるようになっている。（水道蛇口固定部品類においては、業界で統一規格等を設定して汎用性のある水道用部品を販売しているので、なるべくそれらを使用して、メンテナンス性を良くすると良い。）
図１又は図６に示すように、本発明の一実施例の水道蛇口直結型浄水器９０の切替弁本体１０においては、異物（例えば、虫、砂、鉄屑等）混入防止用に６０メッシュ程度の市販のフィルタ（不図示。例えば、ポリエステル製網、ナイロン製網、抗菌性金属添着合成樹脂網、ステンレススチール製網、銅製網、銅銀合金製網、アルミニュウム製網、抗菌性金属添着金属網、不織布製網、抗菌性金属添着不織布網等。尚、抗菌性金属においては銀、銅等が有り、添着、添加、含有、コーティング、メッキ、蒸着等の処理加工方法を問わない。）と、市販の水密パッキン７２（例えば、ドーナツ状の厚手ゴム板）と、市販の蛇口固定部品７３（例えば、ＰＯＭ樹脂製１６ｍｍ径のＣリング板）と、螺刻された流入口１１に螺着できる回転リング７４（例えば、ＰＯＭ樹脂等の合成樹脂）等を使用した。
【００１５】
図１又は図６に示すように、該切替弁本体１０外部には、手指により上下の一方向に動作し、作動後原位置に復元するように往復動して、ストレート原水吐水／シャワー原水吐水／浄水吐水の３つの吐水モード（切替順序は設計にて決定する）を切替える切替レバー（例えば、ＡＢＳ樹脂等の合成樹脂）５０が、配設される。
切替レバー５０は、略コ字形の形状で、一端（小凹部。溝穴）５１が該切替弁本体１０の支持軸（凸部）５９に回動自在に係合され、他端（大凹部。溝穴）５２がラック２２（凸部）に係合（直接接続）される。
【００１６】
図６に示すように、該切替弁本体１０の該駆動ギア軸１９には、ラチェット機構及び切替レバー復元機構を有し一方向に回転する駆動ギヤ（例えば、ＡＢＳ樹脂等の合成樹脂、切替レバー５０の一往復動において４０度回転動する。）２０が軸着される。また、駆動ギヤ２０には該切替レバー５０が間接接続される。
該駆動ギア軸１９には、現在、ストレート原水吐水／シャワー原水吐水／浄水吐水３つの吐水モードのうち、どの吐水モードになっているか判るように、例えば、原水／シャワー／浄水の文字が外周部に表示された表示ドラム５５のギア５６が噛合っている。表示ドラム５５は該駆動ギヤ２０とは逆回転するようになっている。この表示ドラム５５に表示された文字が切替弁本体上カバー７０の吐水モード表示窓７１から見えるようになっている。
【００１７】
ラチェット機構及び切替レバー復元機構については、基本的には周知技術で達成できるが、本発明の一実施例の水道蛇口直結型浄水器９０においては、クリックバネ（逆回転防止爪。例えば、ステンレス鋼板）２１と、ラック（回転掛爪。該切替レバー５０が直接接続される。例えば、ＰＯＭ樹脂等の合成樹脂）２２と、一端面に該クリックバネ２１の爪部が掛止及び滑動できる逆回転防止歯２５と他端面に該ラック２２の複数の爪２７が掛止及び滑動できる正回転掛止歯２６とを有する駆動ギヤ２０と、切替レバー戻しバネ（例えば、ステンレス鋼線）２３と、バネ掛板（切替レバー５０の４０度回転制限板。例えば、ステンレス鋼板）２４と、からなるもので構成した。
切替レバー戻しバネ２３は、一端がラック２２に、他端がバネ掛板２４に掛止される。
手指で切替レバー５０が下方向に押動操作されると、連動してラック２２が一方向に回転するが、バネ掛板２４の為に切替レバー５０が４０度回転する位置で停止する。ラック２２の複数の爪２７が該駆動ギヤ２０に設けられた正回転掛止歯２６に掛かっているので、ラック２２の回転に連動してクリックバネ２１を押し上げながら該駆動ギヤ２０も回転し、切替レバー戻しバネ２３に付勢（反発）力を与える。
ここで、切替レバー５０から手指を離すと、切替レバー戻しバネ２３の付勢（反発）力により、切替レバー５０が上方向に復元される。連動してラック２２が他方向に回転するが、クリックバネ２１の爪部が該駆動ギヤ２０の逆回転防止歯２５に掛止して他方向回転を抑制するので、ラック２２の複数の爪２７は該駆動ギヤ２０に設けられた正回転掛止歯２６の上を滑動し、該駆動ギヤ２０はその場に停止したままである。
ラチェット機構は、周知のワンウェイクラッチ機構であっても良い。
【００１８】
図２に示すように、カムシャフト（例えば、ＰＯＭ樹脂等の合成樹脂）３０は、一端部３１側に該駆動ギヤ２０と噛合い他方向に回転する従動ギヤ（例えば、駆動ギヤ２０の４０度回転動に対し６０度回転動する。）３９を有し、略中央部（一端部３１と他端部３２のと間）の軸円周方向に、略楕円形で２つの凸部を有するカムＴ３３、カムＳ３４、カムＪ３５をそれぞれ位相をずらして（例えば、６０度、１２０度）形成した。
図５又は図６に示すように、カムシャフト３０は、切替弁本体１０のカムシャフト軸承孔１２から挿入されて、該カムシャフト軸承孔１２で一端部３１が軸承される。該一端部３１には、パッキン溝３６が有り、該パッキン溝３６にはＯリング（例えば、ニトリルゴム、シリコンゴム、フッソゴム等の軟質弾性部材）３７が環装されて水密される。
手指で切替レバー５０が下方向に押動操作されると、連動して駆動ギヤ２０が４０度回転される。そして、駆動ギヤ２０に連動して表示ドラム５５が１２０度回転される。また、駆動ギヤ２０に連動して従動ギヤ３９が６０度回転される。
これは、切替レバー５０の一往復動が３回行われると、表示ドラム５５が一回転（原水／シャワー／浄水の文字が表示されて元の位置に戻る。）し、駆動ギヤ２０が三分の一回転し、従動ギヤ３９が半回転されることになる。つまり、切替切替レバー５０の一往復動が９回行われると、表示ドラム５５が三回転し、駆動ギヤ２０が一回転し、従動ギヤ３９が一回転半されることになる。
【００１９】
図３ないし図４、又は図６に示すように、１つのリンク（例えば、ＰＯＭ樹脂等の合成樹脂）４０は、カムシャフト３０に設けられカム（カムＴ３３、カムＳ３４、カムＪ３５）の外周部を囲繞するように形成された中空部４１を有し、該中空部４１側には１つの突起部４２が形成された略ロ形（四辺形）体の開閉弁本体である。
このリンク４０は、回転するカム（カムＴ３３、カムＳ３４、カムＪ３５）の凸部と該突起部４２との摺動により、上下方向に直線往復動するものである。
本発明の一実施例の水道蛇口直結型浄水器９０においては、該カムシャフト３０の該カムＴ３３に対応してリンクＴ４０ａが、該カムＳ３４に対応してリンクＳ４０ｂが、該カムＪ３５に対応してリンクＪ４０ｃが、各々応動するように配設されている。
【００２０】
また、リンク４０の外周部の一端部（下流側）には、整流羽根４３と、Ｏリング（例えば、ニトリルゴム、シリコンゴム等の軟質弾性部材）４４と、を有する弁体（プラグとも言う。）４５が設けられている。
切替弁本体１０の弁座Ｔ１３ａ（上流側）に対応する弁体は弁体Ｔ４５ａ（整流羽根Ｔ４３ａ、ＯリングＴ４４ａ）で、弁座Ｓ１４ａ（上流側）に対応する弁体はは弁体Ｓ４５ｂ（整流羽根Ｓ４３ｂ、ＯリングＳ４４ｂ）で、弁座Ｊ１５ａ（上流側）に対応する弁体は弁体Ｊ４５ｃ（整流羽根Ｊ４３ｃ、ＯリングＪ４４ｃ）である。
【００２１】
また、リンク４０の外周部の他端部（上流側）には、軸状のガイド４６が設けられていて、該ガイド４６の外周部には、コイルスプリング（例えば、ステンレス鋼線）４７が設けられている。
リンクＴ４０ａにはガイドＴ４６ａが、リンクＳ４０ｂにはガイドＳ４６ｂが、リンクＪ４０ｃにはガイドＪ４６ｃが対応する。
図４ないし図６に示すように、該ガイドＴ４６ａ、該ガイドＳ４６ｂ、該ガイドＪ４６ｃの各々の上部には、該ガイドＴ４６ａ、該ガイドＳ４６ｂ、該ガイドＪ４６ｃの各々を同時に滑動できるように支持するガイド受け（例えば、ＰＯＭ樹脂等の合成樹脂）６０が１つ設けられている。
ガイド受け６０は、略中央部の任意の箇所に原水通過口６１と、該ガイドＴ４６ａが挿入されるガイド孔６２ａと、該ガイドＳ４６ｂが挿入されるガイド孔６２ｂと、該ガイドＪ４６ｃが挿入されるガイド孔６２ｃと、カムシャフト３０の他端部３２を軸承する凹部６３と、を有する。
また、ガイド受け６０の上部（上流側）にフィルタ（不図示）、水密パッキン７２、蛇口固定部品７３等が載置される。
【００２２】
該リンクＴ４０ａ、該リンクＳ４０ｂ、該リンクＪ４０ｃの各々を常時弾発付勢している該コイルスプリング４７の効果を説明する。
該リンクＴ４０ａ、該リンクＳ４０ｂ、該リンクＪ４０ｃの各々は、該コイルスプリング４７の１つの反発力を、例えば、約１Ｎとすると、約１Ｎの応力の約半分をガイド受け６０が受けていることから、約０．５Ｎの応力が掛かっている。また、ガイド受け６０においては、該コイルスプリング４７の３つの反発力の和（約３Ｎ）の約半分（１．５Ｎ）の応力が掛かっている。
該リンクＴ４０ａ、該リンクＳ４０ｂ、該リンクＪ４０ｃの各々において、回転するカム（カムＴ３３、カムＳ３４、カムＪ３５）の凸部と、リンク（カムＴ３３に対応するリンクＴ４０ａ、カムＳ３４に対応するリンクＳ４０ｂ、カムＪ３５に対応するリンクＪ４０ｃ）の突起部と、が摺動していない場合の弁体Ｔ４５ａ、弁体Ｓ４５ｂ、弁体Ｊ４５ｃが、弁体Ｔ４５ａに正対する弁座Ｔ１３ａ、弁体Ｓ４５ｂに正対する弁座Ｓ１４ａ、弁体Ｊ４５ｃに正対する弁座Ｊ１５ａを、低水圧時（例えば、０．０５〜０．１０ＭＰａ）において、約０．５Ｎの応力で、確実に閉動作（弁体と弁座との隙間から流通管路への原水浸入防止）している。
【００２３】
ここで、例えば、カムＴ３３の凸部と、カムＴ３３に対応するリンクＴ４０ａの突起部と、が当接している場合を想定する。つまり、カムＳ３４の凸部と、カムＳ３４に対応するリンクＳ４０ｂの突起部と、が当接していなく、また、カムＪ３５の凸部と、カムＪ３５に対応するリンクＳ４０ｃの突起部と、が当接していない場合である。この時のカムシャフト３０は、リンクＴ４０ａを持ち上げている応力（リンクＴ４０ａが該コイルスプリング４７により受けている応力）の約０．５Ｎが掛かっているだけである。（該リンクＳ４０ｂ、該リンクＪ４０ｃからは何の応力を受けていない。）
そして、該切替レバー５０を手指で下方向に押動させると、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をすると、カムＴ３３の凸部と、カムＴ３３に対応するリンクＴ４０ａの突起部と、が摺動しながらリンクＴ４０ａを下げて、例えば、カムＳ３４の凸部と、カムＳ３４に対応するリンクＴ４０ｂの突起部と、が当接し摺動してリンクＴ４０ｂを押し上げる。
力学的に説明すると、本来、該切替レバー５０を手指で下方向に押動させる力に比例した力でカムシャフト３０が回転するが、リンクＴ４０ａが下がる時には、リンクＴ４０ａに掛かっている応力（約０．５Ｎ）も加算されてカムＴ３３（カムシャフト３０）を回転させていることなる。また、その回転させている加算応力でカムＳ３４に対応するリンクＴ４０ｂを押し上げていることになる。つまり、てこの原理から、該切替レバー５０を手指で下方向に押動させる力は、リンクを押し上げるための力（約０．５Ｎ）が不要となることから、無負荷のカムシャフト３０を回転させる力相当だけで良いということになる。これが、該コイルスプリング４７の効果である。
この該コイルスプリング４７の効果で、従来よりは、ストレート原水吐水／シャワー原水吐水／浄水吐水のように３つの吐水モードを切替える切替レバー５０の小さな操作力で、ワンタッチ動作で容易にかつ確実に切替えるができるものである。
【００２４】
図５又は図６に示すように、切替弁本体下カバー（例えば、ＡＢＳ樹脂等の合成樹脂）７５は、切替弁本体１０の該流通管路Ｔ１３の開口部１３ｂに結合されるストレート原水吐水口７６と、切替弁本体１０の該流通管路Ｓ１４の開口部１４ｂに結合されるシャワー原水吐水口７７と、切替レバーストッパー７８と、を有する。
切替弁本体下カバー７５は、切替弁本体１０の該流通管路Ｔ１３の開口部１３ｂ（下流側）は該ストレート原水吐水口７６と結合し、切替弁本体１０の該流通管路Ｓ１４の開口部１４ｂ（下流側）はシャワー原水吐水口７７と結合しながら、切替弁本体１０の下部を覆うものである。
切替レバーストッパー７８は、手指で切替レバー５０が下方向に押動操作される時の回転ストッパーではあるが、例えば、親指で切替レバー５０を下方向に押す時に、親指以外の他の指で切替レバーストッパー７８の裏面を支えるようにして切替レバー５０を下方向に押動操作すれば、親指の力がはいりやすくなる。
切替弁本体上カバー７０と切替弁本体下カバー７５とで、切替弁本体１０を挟着して組み立てられる。同時に、切替レバー５０の一端（小凹部）５１は、回動自在に維持されたまま着脱不可能になる。
【００２５】
本発明の一実施例の水道蛇口直結型浄水器９０の作用（ソフト）を説明する。
図５には符号の一部が省略されているが、該弁体Ｔ４５ａの整流羽根Ｔ４３ａは該弁座Ｔ１３ａの中に挿入される。該弁体Ｓ４５ｂの整流羽根Ｓ４３ｂは該弁座Ｓ１４ａの中に挿入される。該弁体Ｊ４５ｃの整流羽根Ｊ４３ｃは該弁座Ｊ１５ａの中に挿入される。
また、該弁体Ｔ４５ａのＯリングＴ４４ａは該弁座Ｔ１３ａを押圧閉塞するように配設される。該弁体Ｓ４５ｂのＯリングＳ４４ｂは該弁座Ｓ１４ａを押圧閉塞するように配設される。該弁体Ｊ４５ｃのＯリングＪ４４ｃは該弁座Ｊ１５ａを押圧閉塞するように配設される。
該切替レバー５０の手指による上下の一往復動により、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をし、該カムＴ３３、該カムＳ３４、該カムＪ３５の何れかの凸部が、対応する該リンクＴ４０ａ、該リンクＳ４０ｂ、該リンクＪ４０ｃの突起部との摺動により、該リンクＴ４０ａ、該リンクＳ４０ｂ、該リンクＪ４０ｃの何れかが上下方向に往復動変換される。それによって、対応する該弁体Ｔ４５ａは該弁座Ｔ１３ａを開又は閉動作し、該弁体Ｓ４５ｂは該弁座Ｓ１４ａを開又は閉動作し、該弁体Ｊ４５ｃは該弁座Ｊ１５ａを開又は閉動作する。
該切替弁本体１０内の原水が該流通管路Ｔ１３又は該流通管路Ｓ１４又は該流通管路Ｊ１５の何れかを通り、切替弁本体下カバー７５のストレート原水吐水口７６、又は切替弁本体下カバー７５のシャワー原水吐水口７７、又は浄水槽カートリッジ８０の浄水吐水口８２、の何れかに通水されることになる。
そして、該切替レバー５０の手指による上下の一往復動を繰り返すことにより、ストレート原水吐水／シャワー原水吐水／浄水吐水の３つの吐水モードが次々と切替わって吐水されることになる。
【実施例２】
【００２６】
図７（ｂ）は、本発明の他実施例の水道蛇口直結型浄水器９１に結合される浄水槽カートリッジ１８０の斜視図である。図８は、本発明の他実施例の水道蛇口直結型浄水器９１の斜視図である。図９は、カムシャフト３０を中心に切断した時の本発明の他実施例の水道蛇口直結型浄水器９１の要部正面断面図である。図１０は、本発明の他実施例の水道蛇口直結型浄水器９１の主となる構成部品を表したアイソメ図である。
【００２７】
図８ないし図１０と、図７（ｂ）を参照して、本発明の他実施例の水道蛇口直結型浄水器９１の構成（ハード）を説明する。
一例として、図７（ｂ）に示すような外観形状の浄水槽カートリッジ１８０は、本発明の他実施例の水道蛇口直結型浄水器９１内に内蔵され、着脱可能に結合される附属部品で、ケーシング（例えば、ＡＢＳ樹脂等の合成樹脂）１８１と、該ケーシング１８１に内蔵されるろ過材（不図示。例えば、活性炭、中空糸膜フィルタ）と、からなり、該ケーシング１８１の外部には浄水出口１８２（下流側）と原水供給入口１８３（上流側）とを有する。
通常、浄水槽カートリッジ１８０は、水道水（原水）を貫流浄化するのが目的であるが、浄化された水（浄水）にミネラル等を添加するためにミネラル添加材等もろ過材に付加される場合もある。
そして、ろ過材には浄化する能力に限界（寿命）があり、定期的に浄水槽カートリッジ１８０を交換使用する必要がある。
また、浄水槽カートリッジ１８０は、本発明の他実施例の水道蛇口直結型浄水器９１内に内蔵される附属部品であるため、なかなか該ケーシング１８１の形状（大小）を変更できないが、貫流浄化する水道水（原水）の処理流量に応じて、ろ過材の容量や構成比率等を変えたりすることは可能である。
【００２８】
図８又は図１０に示すように、切替弁本体上カバー（例えば、ＡＢＳ樹脂等の合成樹脂）１７０は、切替弁本体１０の流入口１１を貫装して、切替弁本体１０の上部を覆うものである。
切替弁本体上カバー１７０には、現在、ストレート原水吐水／シャワー原水吐水／浄水吐水３つの吐水モードのうち、どの吐水モードになっているか判るように、吐水モード表示窓１７１が設けられている。
浄水槽カートリッジ蓋体（例えば、ＡＢＳ樹脂等の合成樹脂）１７２は、切替弁本体上カバー１７０と切替弁本体下カバー１７５とが組み合わせられた時にできる開口部１７３に取り付けられる。その開口部１７３の中に浄水槽カートリッジ１８０が収納される。
【００２９】
図９又は図１０に示すように、切替弁本体（例えば、ＰＯＭ樹脂等の合成樹脂）１０（本発明の一実施例の水道蛇口直結型浄水器９０と共通使用）は、水道蛇口から原水（水道水）が流入する流入口１１と、カムシャフト３０が挿入されカムシャフト３０の一端部３１を軸承するカムシャフト軸承孔１２と、一端部（上流側）が弁座Ｔ１３ａ（端面は当接するＯリングＴ４４ａが傷付かないように若干テーパーになっている）で他端部（下流側）が切替弁本体下カバー１７５のストレート吐水口１７６に通じる開口部１３ｂである流通管路Ｔ１３と、一端部（上流側）が弁座Ｓ１４ａ（端面は当接するＯリングＳ４４ｂが傷付かないように若干テーパーになっている）で他端部（下流側）が切替弁本体下カバー１７５のシャワー原水吐水口１７７に通じる開口部１４ｂである流通管路Ｓ１４と、一端部（上流側）が弁座Ｊ１５ａ（端面は当接するＯリングＪ４４ｃが傷付かないように若干テーパーになっている）で他端部（下流側）が該浄水槽カートリッジ１８０の原水供給入口１８４に結合する原水供給出口１５ｂである流通管路Ｊ１５と、外周部に駆動ギア軸１９と、該駆動ギア軸１９の軸線上の反対側には切替レバー５０の一端（小凹部）５１が回動自在に係合される支持軸（凸部）５９と、を有する。
また、切替弁本体１０には、一端部（上流側）が該流通管路Ｊ１５の原水供給出口１５ｂに結合する原水供給連結入口１６ａで他端部（下流側）が該浄水槽カートリッジ１８０の原水供給入口１８３に結合する原水供給連結出口１６ｂである流通管路Ｙ１６と、一端部（上流側）が該浄水槽カートリッジ１８０の浄水出口１８２に結合する浄水入口１７ａで他端部（下流側）が切替弁本体下カバー１７５の浄水吐水口１７９に通じる開口部１７ｂである流通管路Ｚ１７と、を有する結合流通管路ユニット１８が結合される。
【００３０】
流入口１１の上流側には、通常、水道蛇口固定部品類が配設されるようになっている。（水道蛇口固定部品類においては、業界で統一規格等を設定して汎用性のある水道用部品を販売しているので、なるべくそれらを使用して、メンテナンス性を良くすると良い。）
図８又は図１０に示すように、本発明の他実施例の水道蛇口直結型浄水器９１の切替弁本体１０においては、異物（例えば、虫、砂、鉄屑等）混入防止用に６０メッシュ程度の市販のフィルタ（不図示。例えば、ポリエステル製網、ナイロン製網、抗菌性金属添着合成樹脂網、ステンレススチール製網、銅製網、銅銀合金製網、アルミニュウム製網、抗菌性金属添着金属網、不織布製網、抗菌性金属添着不織布網等。尚、抗菌性金属においては銀、銅等が有り、添着、添加、含有、コーティング、メッキ、蒸着等の処理加工方法を問わない。）と、市販の水密パッキン７２（例えば、ドーナツ状の厚手ゴム板）と、市販の蛇口固定部品７３（例えば、ＰＯＭ樹脂製１６ｍｍ径のＣリング板）と、螺刻された流入口１１に螺着できる回転リング７４（例えば、ＰＯＭ樹脂等の合成樹脂）等を使用した。
【００３１】
図８又は図１０に示すように、該切替弁本体１０外部には、手指により上下の一方向に動作し、作動後原位置に復元するように往復動して、ストレート原水吐水／シャワー原水吐水／浄水吐水の３つの吐水モード（切替順序は設計にて決定する）を切替える切替レバー（例えば、ＡＢＳ樹脂等の合成樹脂）５０（本発明の一実施例の水道蛇口直結型浄水器９０と共通使用）が、配設される。
切替レバー５０は、略コ字形の形状で、一端（小凹部）５１が該切替弁本体１０の支持軸（凸部）５９に回動自在に係合され、他端（大凹部。溝穴）５２がラック２２（凸部）に係合（直接接続）される。
【００３２】
図１０に示すように、該切替弁本体１０の該駆動ギア軸１９には、本発明の一実施例の水道蛇口直結型浄水器９０と共通使用のラチェット機構及び切替レバー復元機構を有し一方向に回転する駆動ギヤ（例えば、ＡＢＳ樹脂等の合成樹脂、切替レバー５０の一往復動において４０度回転動する。）２０が軸着される。また、駆動ギヤ２０には該切替レバー５０が間接接続される。
該駆動ギア軸１９には、現在、ストレート原水吐水／シャワー原水吐水／浄水吐水３つの吐水モードのうち、どの吐水モードになっているか判るように、例えば、原水／シャワー／浄水の文字が外周部に表示された表示ドラム５５のギア５６が噛合っている。表示ドラム５５は該駆動ギヤ２０とは逆回転するようになっている。この表示ドラム５５に表示された文字が切替弁本体上カバー１７０の吐水モード表示窓１７１から見えるようになっている。
【００３３】
ラチェット機構及び切替レバー復元機構については、基本的には周知技術で達成できるが、本発明の他実施例の水道蛇口直結型浄水器９１においては、クリックバネ（逆回転防止爪。例えば、ステンレス鋼板）２１と、ラック（回転掛爪。該切替レバー５０が直接接続される。例えば、ＰＯＭ樹脂等の合成樹脂）２２と、一端面に該クリックバネ２１の爪部が掛止及び滑動できる逆回転防止歯２５と他端面に該ラック２２の複数の爪２７が掛止及び滑動できる正回転掛止歯２６とを有する駆動ギヤ２０と、切替レバー戻しバネ（例えば、ステンレス鋼線）２３と、バネ掛板（切替レバー５０の４０度回転制限板。例えば、ステンレス鋼板）２４と、からなるもので構成した。
切替レバー戻しバネ２３は、一端がラック２２に、他端がバネ掛板２４に掛止される。
手指で切替レバー５０が下方向に押動操作されると、連動してラック２２が一方向に回転するが、バネ掛板２４の為に切替レバー５０が４０度回転する位置で停止する。ラック２２の複数の爪２７が該駆動ギヤ２０に設けられた正回転掛止歯２６に掛かっているので、ラック２２の回転に連動してクリックバネ２１を押し上げながら該駆動ギヤ２０も回転し、切替レバー戻しバネ２３に付勢（反発）力を与える。
ここで、切替レバー５０から手指を離すと、切替レバー戻しバネ２３の付勢（反発）力により、切替レバー５０が上方向に復元される。連動してラック２２が他方向に回転するが、クリックバネ２１の爪部が該駆動ギヤ２０の逆回転防止歯２５に掛止して他方向回転を抑制するので、ラック２２の複数の爪２７は該駆動ギヤ２０に設けられた正回転掛止歯２６の上を滑動し、該駆動ギヤ２０はその場に停止したままである。
ラチェット機構は、周知のワンウェイクラッチ機構であっても良い。
【００３４】
カムシャフトについては、本発明の一実施例の水道蛇口直結型浄水器９０と共通使用なので一部の説明に図２を参照して説明する。
図２に示すように、カムシャフト（例えば、ＰＯＭ樹脂等の合成樹脂）３０は、一端部３１側に該駆動ギヤ２０と噛合い他方向に回転する従動ギヤ（例えば、駆動ギヤ２０の４０度回転動に対し６０度回転動する。）３９を有し、略中央部（一端部３１と他端部３２のと間）の軸円周方向に、略楕円形で２つの凸部を有するカムＴ３３、カムＳ３４、カムＪ３５をそれぞれ位相をずらして（例えば、６０度、１２０度）形成した。
図９又は図１０に示すように、カムシャフト３０は、切替弁本体１０のカムシャフト軸承孔１２から挿入されて、該カムシャフト軸承孔１２で一端部３１が軸承される。該一端部３１には、パッキン溝３６が有り、該パッキン溝３６にはＯリング（例えば、ニトリルゴム、シリコンゴム、フッ素ゴム等の軟質弾性部材）３７が環装されて水密される。
手指で切替レバー５０が下方向に押動操作されると、連動して駆動ギヤ２０が４０度回転される。そして、駆動ギヤ２０に連動して表示ドラム５５が１２０度回転される。また、駆動ギヤ２０に連動して従動ギヤ３９が６０度回転される。
これは、切替レバー５０の一往復動が３回行われると、表示ドラム５５が一回転（原水／シャワー／浄水の文字が表示されて元の位置に戻る）し、駆動ギヤ２０が三分の一回転し、従動ギヤ３９が半回転されることになる。つまり、切替レバー５０の一往復動が９回行われると、表示ドラム５５が三回転し、駆動ギヤ２０が一回転し、従動ギヤ３９が一回転半されることになる。
【００３５】
リンクについては、本発明の一実施例の水道蛇口直結型浄水器９０と共通使用なので一部の説明に図３ないし図４を参照して説明する。
図３ないし図４、又は図１０に示すように、１つのリンク（例えば、ＰＯＭ樹脂等の合成樹脂）４０は、カムシャフト３０に設けられカム（カムＴ３３、カムＳ３４、カムＪ３５）の外周部を囲繞するように形成された中空部４１を有し、該中空部４１側には１つの突起部４２が形成された略ロ形（四辺形）体の開閉弁本体である。
このリンク４０は、回転するカム（カムＴ３３、カムＳ３４、カムＪ３５）の凸部と該突起部４２との摺動により、上下方向に直線往復動するものである。
本発明の他実施例の水道蛇口直結型浄水器９１においては、該カムシャフト３０の該カムＴ３３に対応してリンクＴ４０ａが、該カムＳ３４に対応してリンクＳ４０ｂが、該カムＪ３５に対応してリンクＪ４０ｃが、各々応動するように配設されている。
【００３６】
また、リンク４０の外周部の一端部（下流側）には、整流羽根４３と、Ｏリング（例えば、ニトリルゴム、シリコンゴム、フッ素ゴム等の軟質弾性部材）４４と、を有する弁体（プラグとも言う。）４５が設けられている。
切替弁本体１０の弁座Ｔ１３ａ（上流側）に対応する弁体は弁体Ｔ４５ａ（整流羽根Ｔ４３ａ、ＯリングＴ４４ａ）で、弁座Ｓ１４ａ（上流側）に対応する弁体はは弁体Ｓ４５ｂ（整流羽根Ｓ４３ｂ、ＯリングＳ４４ｂ）で、弁座Ｊ１５ａ（上流側）に対応する弁体は弁体Ｊ４５ｃ（整流羽根Ｊ４３ｃ、ＯリングＪ４４ｃ）である。
【００３７】
コイルスプリングやガイド受けについては、本発明の一実施例の水道蛇口直結型浄水器９０と共通使用なので一部の説明に図４を参照して説明する。
また、リンク４０の外周部の他端部（上流側）には、軸状のガイド４６が設けられていて、該ガイド４６の外周部には、コイルスプリング（例えば、ステンレス鋼線）４７が設けられている。
リンクＴ４０ａにはガイドＴ４６ａが、リンクＳ４０ｂにはガイドＳ４６ｂが、リンクＪ４０ｃにはガイドＪ４６ｃが対応する。
図４及び図９ないし図１０に示すように、該ガイドＴ４６ａ、該ガイドＳ４６ｂ、該ガイドＪ４６ｃの各々の上部には、該ガイドＴ４６ａ、該ガイドＳ４６ｂ、該ガイドＪ４６ｃの各々を同時に滑動できるように支持するガイド受け（例えば、ＰＯＭ樹脂等の合成樹脂）６０が１つ設けられている。
ガイド受け６０は、略中央部の任意の箇所に原水通過口６１と、該ガイドＴ４６ａが挿入されるガイド孔６２ａと、該ガイドＳ４６ｂが挿入されるガイド孔６２ｂと、該ガイドＪ４６ｃが挿入されるガイド孔６２ｃと、カムシャフト３０の他端部３２を軸承する凹部６３と、を有する。
また、ガイド受け６０の上部（上流側）にフィルタ（不図示）、水密パッキン７２、蛇口固定部品７３等が載置される。
【００３８】
該リンクＴ４０ａ、該リンクＳ４０ｂ、該リンクＪ４０ｃの各々を常時弾発付勢している該コイルスプリング４７の効果を説明する。
該リンクＴ４０ａ、該リンクＳ４０ｂ、該リンクＪ４０ｃの各々は、該コイルスプリング４７の１つの反発力を、例えば、約１Ｎとすると、約１Ｎの応力の約半分をガイド受け６０が受けていることから、約０．５Ｎの応力が掛かっている。また、ガイド受け６０においては、該コイルスプリング４７の３つの反発力の和（約３Ｎ）の約半分（１．５Ｎ）の応力が掛かっている。
該リンクＴ４０ａ、該リンクＳ４０ｂ、該リンクＪ４０ｃの各々において、回転するカム（カムＴ３３、カムＳ３４、カムＪ３５）の凸部と、リンク（カムＴ３３に対応するリンクＴ４０ａ、カムＳ３４に対応するリンクＳ４０ｂ、カムＪ３５に対応するリンクＪ４０ｃ）の突起部と、が摺動していない場合の弁体Ｔ４５ａ、弁体Ｓ４５ｂ、弁体Ｊ４５ｃが、弁体Ｔ４５ａに正対する弁座Ｔ１３ａ、弁体Ｓ４５ｂに正対する弁座Ｓ１４ａ、弁体Ｊ４５ｃに正対する弁座Ｊ１５ａを、低水圧時（例えば、０．０５〜０．１０ＭＰａ）において、約０．５Ｎの応力で、確実に閉動作（弁体と弁座との隙間から流通管路への原水浸入防止）している。
【００３９】
ここで、例えば、カムＴ３３の凸部と、カムＴ３３に対応するリンクＴ４０ａの突起部と、が当接している場合を想定する。つまり、カムＳ３４の凸部と、カムＳ３４に対応するリンクＳ４０ｂの突起部と、が当接していなく、また、カムＪ３５の凸部と、カムＪ３５に対応するリンクＳ４０ｃの突起部と、が当接していない場合である。この時のカムシャフト３０は、リンクＴ４０ａを持ち上げている応力（リンクＴ４０ａが該コイルスプリング４７により受けている応力）の約０．５Ｎが掛かっているだけである。（該リンクＳ４０ｂ、該リンクＪ４０ｃからは何の応力を受けていない。）
そして、該切替レバー５０を手指で下方向に押動させると、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をすると、カムＴ３３の凸部と、カムＴ３３に対応するリンクＴ４０ａの突起部と、が摺動しながらリンクＴ４０ａを下げて、例えば、カムＳ３４の凸部と、カムＳ３４に対応するリンクＴ４０ｂの突起部と、が当接し摺動してリンクＴ４０ｂを押し上げる。
力学的に説明すると、本来、該切替レバー５０を手指で下方向に押動させる力に比例した力でカムシャフト３０が回転するが、リンクＴ４０ａが下がる時には、リンクＴ４０ａに掛かっている応力（約０．５Ｎ）も加算されてカムＴ３３（カムシャフト３０）を回転させていることなる。また、その回転させている加算応力でカムＳ３４に対応するリンクＴ４０ｂを押し上げていることになる。つまり、てこの原理から、該切替レバー５０を手指で下方向に押動させる力は、リンクを押し上げるための力（約０．５Ｎ）が不要となることから、無負荷のカムシャフト３０を回転させる力相当だけで良いということになる。これが、該コイルスプリング４７の効果である。
この該コイルスプリング４７の効果で、従来よりは、ストレート原水吐水／シャワー原水吐水／浄水吐水のように３つの吐水モードを切替える切替レバー５０の小さな操作力で、ワンタッチ動作で容易にかつ確実に切替えるができるものである。
【００４０】
図９又は図１０に示すように、切替弁本体下カバー（例えば、ＡＢＳ樹脂等の合成樹脂）１７５は、切替弁本体１０の該流通管路Ｔ１３の開口部１３ｂに結合されるストレート原水吐水口１７６と、切替弁本体１０の該流通管路Ｓ１４の開口部１４ｂに結合されるシャワー原水吐水口１７７と、該結合流通管路ユニット１８の該流通管路Ｚ１７の開口部１７ｂに結合される浄水吐水口１７９と、切替レバーストッパー１７８と、を有する。
切替弁本体下カバー１７５は、切替弁本体１０の該流通管路Ｔ１３の開口部１３ｂ（下流側）は該ストレート原水吐水口１７６と結合し、切替弁本体１０の該流通管路Ｓ１４の開口部１４ｂ（下流側）はシャワー原水吐水口１７７と結合し、該結合流通管路ユニット１８の該流通管路Ｚ１７の開口部１７ｂは浄水吐水口１７９と結合しながら、切替弁本体１０の下部を覆うものである。
切替レバーストッパー１７８は、手指で切替レバー５０が下方向に押動操作される時の回転ストッパーではあるが、例えば、親指で切替レバー５０を下方向に押す時に、親指以外の他の指で切替レバーストッパー１７８の裏面を支えるようにして切替レバー５０を下方向に押動操作すれば、親指の力がはいりやすくなる。
切替弁本体上カバー１７０と切替弁本体下カバー１７５とで、切替弁本体１０を挟着して組み立てられる。同時に、切替レバー５０の一端（小凹部）５１は、回動自在に維持されたまま着脱不可能になる。
【００４１】
本発明の他実施例の水道蛇口直結型浄水器９１の作用（ソフト）を説明する。
図９には符号の一部が省略されているが、該弁体Ｔ４５ａの整流羽根Ｔ４３ａは該弁座Ｔ１３ａの中に挿入される。該弁体Ｓ４５ｂの整流羽根Ｓ４３ｂは該弁座Ｓ１４ａの中に挿入される。該弁体Ｊ４５ｃの整流羽根Ｊ４３ｃは該弁座Ｊ１５ａの中に挿入される。
また、該弁体Ｔ４５ａのＯリングＴ４４ａは該弁座Ｔ１３ａを押圧閉塞するように配設される。該弁体Ｓ４５ｂのＯリングＳ４４ｂは該弁座Ｓ１４ａを押圧閉塞するように配設される。該弁体Ｊ４５ｃのＯリングＪ４４ｃは該弁座Ｊ１５ａを押圧閉塞するように配設される。
該切替レバー５０の手指による上下の一往復動により、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をし、該カムＴ３３、該カムＳ３４、該カムＪ３５の何れかの凸部が、対応する該リンクＴ４０ａ、該リンクＳ４０ｂ、該リンクＪ４０ｃの突起部との摺動により、該リンクＴ４０ａ、該リンクＳ４０ｂ、該リンクＪ４０ｃの何れかが上下方向に往復動変換される。それによって、対応する該弁体Ｔ４５ａは該弁座Ｔ１３ａを開又は閉動作し、該弁体Ｓ４５ｂは該弁座Ｓ１４ａを開又は閉動作し、該弁体Ｊ４５ｃは該弁座Ｊ１５ａを開又は閉動作する。
該切替弁本体１０内の原水が該流通管路Ｔ１３、又は該流通管路Ｓ１４、又は該流通管路Ｊ１５を通り流通管路Ｙ１６を通り浄水槽カートリッジ１８０を通り流通管路Ｚ１７を通るルート、の何れかを通り、切替弁本体下カバー１７５のストレート原水吐水口１７６、又は切替弁本体下カバー１７５のシャワー原水吐水口１７７、又は切替弁本体下カバー１７５の浄水吐水口１７９、の何れかに通水されることになる。
そして、該切替レバー５０の手指による上下の一往復動を繰り返すことにより、ストレート原水吐水／シャワー原水吐水／浄水吐水の３つの吐水モードが次々と切替わって吐水されることになる。
【００４２】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００４３】
例えば、切替レバー５０の手指による上下の一往復動の繰り返しによる、ストレート原水吐水／シャワー原水吐水／浄水吐水の３つの吐水モードの切替えにおいて、切替順序は設計にて決定すれば良いことではあるが、それに伴い、切替弁本体１０の流通管路の配置位置（流通管路Ｔ、流通管路Ｓ、流通管路Ｊ）等や、カムシャフト３０のカムの名称記号・符号（カムＴ３３、カムＳ３４、カムＪ３５）や、リンクの名称記号・符号（カムＴ３３に対応するリンクＴ４０ａ、カムＳ３４に対応するリンクＳ４０ｂ、カムＪ３５に対応するリンクＪ４０ｃ）や、弁体Ｔ４５ａに正対する弁座Ｔ１３ａ、弁体Ｓ４５ｂに正対する弁座Ｓ１４ａ、弁体Ｊ４５ｃに正対する弁座Ｊ１５ａ等の配置位置、名称記号・符号、切替順序等は、各々読み変えると良い。
【００４４】
例えば、切替弁本体下カバー７５のストレート原水吐水口７６や、切替弁本体下カバー１７５のストレート原水吐水口１７６には、泡沫発生装置や、特許第３６２０８１２号公報に示されている泡沫網（フィルタ）を設けても良いし、切替弁本体下カバー７５のシャワー原水吐水口７７や、切替弁本体下カバー１７５のシャワー原水吐水口１７７には、散水放射板や、特許第３６１８０９８号公報に示されている螺旋状突起を有する中空円柱を設けても良い。
【００４５】
切替弁本体１０を、浄水槽カートリッジ８０や、浄水槽カートリッジ１８０と結合することなく、例えば、流通管路Ｊ１５の原水供給出口１５ｂをタケノコ形接続口に変更（或いは別部品で構成）し、浄水槽カートリッジと切替弁本体１０とを給水ホース等で接続して使用する切替レバー式切替弁分離型の据置型浄水器（いわゆる浄水器II型）に改変すれば、据置型浄水器をはじめ、ミネラル水生成器、冷水器、アルカリイオン整水器、等に容易に応用することができるものである。
【産業上の利用可能性】
【００４６】
切替弁本体１０においては、浄水器のみならず、ミネラル水生成器、アルカリイオン整水器等にも適用できる。
【図面の簡単な説明】
【００４７】
【図１】本発明の一実施例の水道蛇口直結型浄水器の斜視図である。
【図２】カムシャフトの斜視図及び正面図である。
【図３】リンクの右側面図である。
【図４】カムシャフトにリンクを配置させた斜視図である。
【図５】カムシャフトを中心に切断した時の本発明の一実施例の水道蛇口直結型浄水器の要部正面断面図である。
【図６】本発明の一実施例の水道蛇口直結型浄水器の主となる構成部品を表したアイソメ図である。
【図７】浄水槽カートリッジの斜視図である。
【図８】本発明の他実施例の水道蛇口直結型浄水器斜視図である。
【図９】カムシャフトを中心に切断した時の本発明の他実施例の水道蛇口直結型浄水器の要部正面断面図である。
【図１０】本発明の他実施例の水道蛇口直結型浄水器の主となる構成部品を表したアイソメ図である。
【符号の説明】
【００４８】
１０…切替弁本体、１１…流入口、１２…カムシャフト軸承孔、１３…流通管路Ｔ、１３ａ…弁座Ｔ、１３ｂ…開口部、１４…流通管路Ｓ、１４ａ…弁座Ｓ、１４ｂ…開口部、１５…流通管路Ｊ、１５ａ…弁座Ｊ、１５ｂ…原水供給出口、１６…流通管路Ｙ、１６ａ…原水供給連結入口、１６ｂ…原水供給連結出口、１７…流通管路Ｚ、１７ａ…浄水入口、１７ｂ…開口部、１８…結合流通管路ユニット、１９…駆動ギア軸、２０…駆動ギヤ、２１…クリックバネ（逆回転防止爪）、２２…ラック（回転掛爪）、２３…切替レバー戻しバネ、２４…バネ掛板（回転制限板）、２５…逆回転防止歯、２６…正回転掛止歯、２７…ラック爪、３０…カムシャフト、３１…一端部、３２…他端部、３３…カムＴ、３４…カムＳ、３５…カムＪ、３６…パッキン溝、３７…Ｏリング、３９…従動ギヤ、４０（４０ａ、４０ｂ、４０ｃ）…リンク、４１（４１ａ、４１ｂ、４１ｃ）…中空部、４２（４２ａ、４２ｂ、４２ｃ）…突起部、４３（４３ａ、４３ｂ、４３ｃ）…整流羽根、４４（４４ａ、４４ｂ、４４ｃ）…Ｏリング、４５（４５ａ、４５ｂ、４５ｃ）…弁体（プラグ）、４６（４６ａ、４６ｂ、４６ｃ）…軸状のガイド、４７…コイルスプリング、５０…切替レバー、５１…一端（小凹部）、５２…他端（大凹部）、５５…表示ドラム、５６…ギア、５９…支持軸（凸部）、６０…ガイド受け、６１…原水通過口、６２（６２ａ、６２ｂ、６２ｃ）…ガイド孔、６３…凹部、７０…切替弁本体上カバー、７１…吐水モード表示窓、７２…水密パッキン、７３…蛇口固定部品、７４…回転リング、７５…切替弁本体下カバー、７６…ストレート原水吐水口、７７…シャワー原水吐水口、７８…切替切替レバーストッパー、８０…浄水槽カートリッジ、８１…ケーシング、８２…浄水吐水口、８３…原水供給入口、９０…本発明の一実施例の水道蛇口直結型浄水器、９１…本発明の他実施例の水道蛇口直結型浄水器、１７０…切替弁本体上カバー、１７１…吐水モード表示窓、１７２…水密パッキン、１７３…開口部、１７５…切替弁本体下カバー、１７６…ストレート原水吐水口、１７７…シャワー原水吐水口、１７８…切替レバーストッパー、１７９…浄水吐水口、１８０…浄水槽カートリッジ、１８１…ケーシング、１８２…浄水出口、１８３…原水供給入口
【図１】
2008173597.tif 000003
【図２】
2008173597.tif 000004
【図３】
2008173597.tif 000005
【図４】
2008173597.tif 000006
【図５】
2008173597.tif 000007
【図６】
2008173597.tif 000008
【図７】
2008173597.tif 000009
【図８】
2008173597.tif 000010
【図９】
2008173597.tif 000011
【図１０】
2008173597.tif 000012
【手続補正書】
【提出日】平成19年5月1日(2007.5.1)
【手続補正１】
【補正対象書類名】明細書
【補正対象項目名】００２３
【補正方法】変更
【補正の内容】
【００２３】
ここで、例えば、カムＴ３３の凸部と、カムＴ３３に対応するリンクＴ４０ａの突起部と、が当接している場合を想定する。つまり、カムＳ３４の凸部と、カムＳ３４に対応するリンクＳ４０ｂの突起部と、が当接していなく、また、カムＪ３５の凸部と、カムＪ３５に対応するリンクＪ４０ｃの突起部と、が当接していない場合である。この時のカムシャフト３０は、リンクＴ４０ａを持ち上げている応力（リンクＴ４０ａが該コイルスプリング４７により受けている応力）の約０．５Ｎが掛かっているだけである。（該リンクＳ４０ｂ、該リンクＪ４０ｃからは何の応力を受けていない。）
そして、該切替レバー５０を手指で下方向に押動させると、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をすると、カムＴ３３の凸部と、カムＴ３３に対応するリンクＴ４０ａの突起部と、が摺動しながらリンクＴ４０ａを下げて、例えば、カムＳ３４の凸部と、カムＳ３４に対応するリンクＳ４０ｂの突起部と、が当接し摺動してリンクＳ４０ｂを押し上げる。
力学的に説明すると、本来、該切替レバー５０を手指で下方向に押動させる力に比例した力でカムシャフト３０が回転するが、リンクＴ４０ａが下がる時には、リンクＴ４０ａに掛かっている応力（約０．５Ｎ）も加算されてカムＴ３３（カムシャフト３０）を回転させていることなる。また、その回転させている加算応力でカムＳ３４に対応するリンクＳ４０ｂを押し上げていることになる。つまり、てこの原理から、該切替レバー５０を手指で下方向に押動させる力は、リンクを押し上げるための力（約０．５Ｎ）が不要となることから、無負荷のカムシャフト３０を回転させる力相当だけで良いということになる。これが、該コイルスプリング４７の効果である。
この該コイルスプリング４７の効果で、従来よりは、ストレート原水吐水／シャワー原水吐水／浄水吐水のように３つの吐水モードを切替える切替レバー５０の小さな操作力で、ワンタッチ動作で容易にかつ確実に切替えるができるものである。
【手続補正２】
【補正対象書類名】明細書
【補正対象項目名】００３９
【補正方法】変更
【補正の内容】
【００３９】
ここで、例えば、カムＴ３３の凸部と、カムＴ３３に対応するリンクＴ４０ａの突起部と、が当接している場合を想定する。つまり、カムＳ３４の凸部と、カムＳ３４に対応するリンクＳ４０ｂの突起部と、が当接していなく、また、カムＪ３５の凸部と、カムＪ３５に対応するリンクＪ４０ｃの突起部と、が当接していない場合である。この時のカムシャフト３０は、リンクＴ４０ａを持ち上げている応力（リンクＴ４０ａが該コイルスプリング４７により受けている応力）の約０．５Ｎが掛かっているだけである。（該リンクＳ４０ｂ、該リンクＪ４０ｃからは何の応力を受けていない。）
そして、該切替レバー５０を手指で下方向に押動させると、該駆動ギヤ２０が一定角度の一方向へ回転運動をし、該駆動ギヤ２０に連動する該従動ギヤ３９が一定角度の他方向へ回転運動をすることにより、該カムシャフト３０が一定角度の回転運動をすると、カムＴ３３の凸部と、カムＴ３３に対応するリンクＴ４０ａの突起部と、が摺動しながらリンクＴ４０ａを下げて、例えば、カムＳ３４の凸部と、カムＳ３４に対応するリンクＳ４０ｂの突起部と、が当接し摺動してリンクＳ４０ｂを押し上げる。
力学的に説明すると、本来、該切替レバー５０を手指で下方向に押動させる力に比例した力でカムシャフト３０が回転するが、リンクＴ４０ａが下がる時には、リンクＴ４０ａに掛かっている応力（約０．５Ｎ）も加算されてカムＴ３３（カムシャフト３０）を回転させていることなる。また、その回転させている加算応力でカムＳ３４に対応するリンクＳ４０ｂを押し上げていることになる。つまり、てこの原理から、該切替レバー５０を手指で下方向に押動させる力は、リンクを押し上げるための力（約０．５Ｎ）が不要となることから、無負荷のカムシャフト３０を回転させる力相当だけで良いということになる。これが、該コイルスプリング４７の効果である。
この該コイルスプリング４７の効果で、従来よりは、ストレート原水吐水／シャワー原水吐水／浄水吐水のように３つの吐水モードを切替える切替レバー５０の小さな操作力で、ワンタッチ動作で容易にかつ確実に切替えるができるものである。
【手続補正３】
【補正対象書類名】図面
【補正対象項目名】図４
【補正方法】変更
【補正の内容】
【図４】
2008173597.tif 000013